(57)【要約】【課題】折り畳み可能な収納棚の提供。【解決手段】折り畳み可能な収納棚は、主に、軟性の布により直方体のフレーム体を形成し、フレーム体前方に開口を有し、残りは面材を有し、各面材の間は相対彎折ができる。後面材の対角は隙間を設置してフレーム体の堆畳に便利である。開口はフレーム体内部に向かって置物空間を延伸形成し、フレーム体の外表面は複数のマジックテープ（登録商標）を設置する。フレーム体内部の後面材に隣接する一辺、或いは、相対二辺は硬質の支承板を連接し、フレーム体の組み立て後の支承に用いる。【選択図】    図１
0003126126.tif 000002
【実用新案登録請求の範囲】
【請求項１】
折り畳み可能な収納棚であって、
軟性の布料ある直方体で、上面材、前記上面材の左右両辺に連接された左面材と右面材、前記左右面材に連接された下面材、前記左右面材と前記上下面材に連接された後面材、からなり、各面材は彎折でき、前記後面材の対角は隙間を有し、前方に開口を有し、前記開口は内部に向かって置物空間を延伸形成し、外表面にマジックテープ（登録商標）を有するフレーム体と、
硬質の板体で、旋転可能な方式で、前記フレーム体内部の前記後面材に隣接する辺縁に連接される支承板と、
からなることを特徴とする収納棚。
【請求項２】
前記フレーム体内部は隔板を設置することを特徴とする請求項１に記載の収納棚。
【請求項３】
前記支承板は二組で、それぞれ、前記フレーム体内部の前記後面材に隣接する両側辺に連接されることを特徴とする請求項１に記載の収納棚。
【考案の詳細な説明】
【技術分野】
【０００１】
本考案は収納棚に関し、詳細には、折り畳み、組み立て可能な収納棚に関する。
【背景技術】
【０００２】
居住空間には限りがあり、収納棚は物品を収納する重要な貯蔵容器である。しかし、公知の収納棚はプラスチック、木、金属等の硬質材質からなり、不使用時に折り畳んで占有する空間を減少させることができない。また、メーカーも出荷時に梱包を小さくして便利に運輸や保管することができない。ある収納棚は組み立て式に設計されているが、消費者が自身で各部品を組み立てなければならず、また、数量が多い各硬質部品素子も多量の包装材料を消耗する。
【考案の開示】
【考案が解決しようとする課題】
【０００３】
本考案は、公知の収納棚が不使用時に体積が縮小できない欠点を改善する収納棚を提供することにある。
【０００４】
本考案のもう一つの目的は、公知の分解可能な収納棚の組み立て、分解が面倒で、分解後の素子が大量の包装材料を消耗し、製造コストが高く、環境保全に符合しない欠点を改善する収納棚を提供することにある。
【課題を解決するための手段】
【０００５】
本考案の収納棚は、軟性の布料である棚フレーム体からなり、フレーム体の前方に開口を有し、残り各面は面材を有し、各面材の間は相対して彎折し、後面材の対角は隙間を有して、フレーム体の折り畳みが容易である。開口はフレーム体内部に置物空間を延伸形成し、フレーム体の外表面は複数のマジックテープ（登録商標）を設置する。フレーム体内部の隣接する後面材の一辺、或いは、相対する二辺は硬質の支承板を連接し、フレーム体組み立て後の支承用とする。
【考案の効果】
【０００６】
本考案のフレーム体は軟性の布材からなり、巧妙な支承板、及び、隔板により、組み立て支承、隔間に用いる。よって、組み立てが非常に便利で、且つ、不使用時、収容に便利である。
【考案を実施するための最良の形態】
【０００７】
図１は、本考案の折り畳み可能な収納棚を示す図で、軟性の布により直方体のフレーム体１形成し、フレーム体１は、上面材１１、上面材１１の左右両辺に連接された左面材１３と右面材１４、左右面材１３、１４に連接された下面材１２、左右面材１３、１４と上下面材１１、１２に連接された後面材１５、からなる。各面材は縫製で連接され、よって、連接箇所は相対して彎折することができる。後面材１５の対角は更に適当な幅の隙間１８を有する。収納棚１の前方に物品を出し入れする開口１６を有し、開口１６はフレーム体１内部に向かって置物空間を延伸形成する。この他、後面材１５の他、フレーム体１の上面材１１、下面材１２、左右面材１３、１４等の外表面の接近する辺縁に複数のマジックテープ（登録商標）を有する。
【０００８】
フレーム体１は軟性の布からなるので、組み立て後、硬質の素子により支承する。よって、本考案はフレーム体１内部の空間の後面材１５に隣接する相対両側辺は縫製によりそれぞれ、支承板２と連接し、両支承板２の高度はフレーム体１内空間高度の二分の一である。これにより、フレーム体１組み立て後、両支承板２を旋転直立させて、面積が後面材１５と等しい支承板を形成し、面積が後面材１５に等しい支承板を構成し、後面材１５を立たせて、フレーム体１が崩落するのを防止する。本考案は、後面材１５の内側面にマジックテープ（登録商標）１５１を設置し、各支承板２も同様に、マジックテープ（登録商標）２１を有し、支承板２が旋転直立状態の時、マジックテープ（登録商標）１５１と２１を相互粘着固定して、支承板２と後面材１５が結合する。不使用時、支承板２を後面材１５から脱離させ、支承板２を水平状態に旋転させ、フレーム体１が扁平に折り畳まれる（図６で示される）。
【０００９】
更に、本考案はフレーム体１内空間に隔板３を設置し、内空間を更に小さい空間に隔て、小物の分類に便利である。隔板３は縫製によりフレーム体１の内側面に固定する。隔板３とフレーム体１の内側面にマジックテープ（登録商標）（図示しない）を設置し、マジックテープ（登録商標）により粘着固定する。この方式で、分解が更に便利である。図１で示される実施例において、隔板３は十字型に設計され、内空間を四つの小空間に隔てる。図２は隔板３を水平状態に設計し、内空間を上下に二個の空間に隔てる。図４は隔板３を垂直形態に設計し、左右二個の空間を形成する。或いは、図５で示されるように、フレーム体１内空間はいかなる隔板も設置しない。
【００１０】
本考案は、支承板２を二組に設計する以外に、図３で示されるように、面積が後面材１５に等しい支承板２A一辺を縫製により、後面材１５に隣接する一辺に連接する。同時に、後面材１５内側面と支承板２Aはそれぞれ、マジックテープ（登録商標）１５１と２１を設置し、支承板２Aが旋転直立状態時、マジックテープ（登録商標）１５１と２１により相互固定する。
【００１１】
本考案のフレーム体により、使用時、単独使用できる以外に、多数のフレーム体を堆畳するか並列することができ、外表面に設けられたマジックテープ（登録商標）１７により相互固定し（図７〜図１０で示される）、更に多くの置物空間を有する収納棚を構成する。フレーム体の内空間は更に引き出し４を放入するか（図７を参照）、開口に扉を設置し、放置した物品を隠す効果を得る。
【図面の簡単な説明】
【００１２】
【図１】本考案の棚構造で、棚フレーム体内に二組の支承板と十字型隔板を設置した実施例の立体図である。
【図２】本考案のフレーム体内に水平隔板を有する実施例の立体図である。
【図３】本考案のフレーム体内に支承板と水平隔板を有する実施例の立体図である。
【図４】本考案のフレーム体内に支承板と垂直隔板を有する実施例の立体図である。
【図５】本考案のフレーム体内に支承板を有し、隔板を有さない実施例の立体図である。
【図６】本考案のフレーム体を扁平に堆畳した実施例の立体図である。
【図７】本考案のフレーム体の並列と堆畳組み立てで、引き出しを使用して実施例の立体図である。
【図８】本考案のフレーム体の並列と堆畳組み立てで、引き出しを使用して実施例の立体図である。
【図９】本考案のフレーム体の並列と堆畳組み立てで、引き出しを使用して実施例の立体図である。
【図１０】本考案のフレーム体の並列と堆畳組み立てで、引き出しを使用して実施例の立体図である。
【符号の説明】
【００１３】
１        フレーム体
１１      上面材
１２      下面材
１３      左面材
１４      右面材
１５      後面材
１５１    マジックテープ（登録商標）
１６      開口
１７      マジックテープ（登録商標）
１８      隔板
２、２A    支承板
２1      マジックテープ（登録商標）        
３        隔板
４        引き出し
５        扉
【図１】
0003126126.tif 000003
【図２】
0003126126.tif 000004
【図３】
0003126126.tif 000005
【図４】
0003126126.tif 000006
【図５】
0003126126.tif 000007
【図６】
0003126126.tif 000008
【図７】
0003126126.tif 000009
【図８】
0003126126.tif 000010
【図９】
0003126126.tif 000011
【図１０】
0003126126.tif 000012